【事件の表示】
　特許第６１９８４６２号発明「印刷装置及び印刷方法」の特許異議申立事件について、次のとおり決定する。
【結　論】
　特許第６１９８４６２号の請求項１ないし１０に係る特許を維持する。
【理　由】
第１　手続の経緯
　特許第６１９８４６２号の請求項１〜１０に係る特許についての出願は、平成２５年５月２４日に特許出願され、平成２９年９月１日にその特許権の設定登録がされ、その後、その特許に対し、平成３０年３月２日に特許異議申立人岡幹男（以下「申立人」という。）により特許異議の申立てがされたものである。
第２　本件発明
　本件特許６１９８４６２号の請求項１〜１０の特許に係る発明（以下「本件発明１」等という。）は、それぞれ、その特許請求の範囲の請求項１〜１０に記載された事項により特定される次のとおりのものである。
「【請求項１】
　予め設定された目的色で表現される図柄をインクジェット方式で布地の媒体へ印刷する印刷装置であって、
　前記媒体上で前記目的色となる色に調整されたインクである目的色用インクのインク滴を吐出するインクジェットヘッドを備え、
　前記図柄は複数の模様により構成され、
　前記複数の模様のそれぞれについて、前記インクジェットヘッドで用いる１色のみの前記目的色用インクで描画すると共に、前記インクジェットヘッドとして、複数の前記目的色のそれぞれについて専用のインクジェットヘッドが設けられ、
　前記インクジェットヘッドは、前記複数の模様のそれぞれにおいて前記目的色用インクの濃度が予め設定された一定の濃度となるようにインク滴を吐出するものであることを特徴とする印刷装置。
【請求項２】
　前記印刷装置は、互いに色が異なる複数の前記目的色で表現される図柄を前記媒体へ印刷し、
　前記複数の目的色に対応する複数の前記インクジェットヘッドを備え、
　それぞれの前記インクジェットヘッドは、前記媒体上で対応する前記目的色となる色に調整された前記目的色用インクのインク滴を吐出することを特徴とする請求項１に記載の印刷装置。
【請求項３】
　前記媒体に対し、一の前記インクジェットヘッドにより一の前記目的色用インクのインク滴を前記媒体へ吐出し、かつ、その後に他の前記インクジェットヘッドにより他の前記目的色用インクのインク滴を前記媒体へ吐出する場合、
　前記他のインクジェットヘッドは、前記媒体へ着弾した前記一の目的色用インクが乾燥した後に、前記他の目的色用インクのインク滴を前記媒体へ吐出することを特徴とする請求項２に記載の印刷装置。
【請求項４】
　前記目的色用インクを貯留し、かつ、前記インクジェットヘッドへ前記目的色用インクを供給するインクボトルを更に備えることを特徴とする請求項１から３のいずれかに記載の印刷装置。
【請求項５】
　前記インクジェットヘッドは、前記目的色用インクのインク滴について、前記媒体の裏面側まで到達させるインクの量で吐出することを特徴とする請求項１から４のいずれかに記載の印刷装置。
【請求項６】
　前記インクジェットヘッドは、前記媒体上において前記目的色用インクで印刷をすべき印刷領域に対し、前記媒体の一方の面へインク滴を吐出した後、更に、前記媒体の他方の面へインク滴を吐出することを特徴とする請求項１から５のいずれかに記載の印刷装置。
【請求項７】
　前記媒体を張り渡した状態で保持する媒体保持部材を用い、
　前記インクジェットヘッドは、前記一方の面を前記インクジェットヘッドと対向させて前記保持部材に保持された前記媒体へインク滴を吐出することにより、前記媒体の一方の面へインク滴を吐出し、
　かつ、前記保持部材に保持された状態のまま表裏を反転させた前記媒体へインク滴を吐出することにより、前記媒体の他方の面へインク滴を吐出することを特徴とする請求項６に記載の印刷装置。
【請求項８】
　予め設定された目的色で表現される図柄をインクジェット方式で布地の媒体へ印刷する印刷方法であって、
　前記媒体上で前記目的色となる色に調整されたインクである目的色用インクのインク滴を吐出するインクジェットヘッドを用いて印刷を行い、
　前記図柄は複数の模様により構成され、
　前記複数の模様のそれぞれについて、前記インクジェットヘッドで用いる１色のみの前記目的色用インクで描画すると共に、前記インクジェットヘッドとして、複数の前記目的色のそれぞれについて専用のインクジェットヘッドを用い、
　前記インクジェットヘッドに、前記複数の模様のそれぞれにおいて前記目的色用インクの濃度が予め設定された一定の濃度となるようにインク滴を吐出させることを特徴とする印刷方法。
【請求項９】
　予め設定された目的色で表現される図柄をインクジェット方式で媒体へ印刷する印刷装置であって、
　前記媒体上で前記目的色となる色に調整されたインクである目的色用インクのインク滴を吐出するインクジェットヘッドを備え、
　前記媒体を張り渡した状態で保持する媒体保持部材を用いて前記媒体を保持し、
　前記インクジェットヘッドは、一方の面を前記インクジェットヘッドと対向させて前記保持部材に保持された前記媒体へインク滴を吐出することにより、前記媒体上において印刷をすべき印刷領域に対し、前記媒体の一方の面へインク滴を吐出して前記図柄を印刷し、
　かつ、前記保持部材に保持された状態のまま表裏を反転させた前記媒体へインク滴を吐出することにより、前記印刷領域に対し、前記媒体の他方の面へインク滴を吐出するもので、
　前記図柄は複数の模様により構成され、
　前記複数の模様のそれぞれについて、前記インクジェットヘッドで用いる１色のみの前記目的色用インクで描画すると共に、前記インクジェットヘッドとして、複数の前記目的色のそれぞれについて専用のインクジェットヘッドが設けられ、
　前記一方の面へのインク滴の吐出及び前記他方の面へのインク滴の吐出について、同じ色の前記目的色用インクで、かつ両面の図柄が重なるように印刷するものであることを特徴とする印刷装置。
【請求項１０】
　予め設定された目的色で表現される図柄をインクジェット方式で媒体へ印刷する印刷方法であって、
　前記媒体上で前記目的色となる色に調整されたインクである目的色用インクのインク滴を吐出するインクジェットヘッドを用い、
　前記媒体を張り渡した状態で保持する媒体保持部材を用いて前記媒体を保持し、
　前記インクジェットヘッドにより、一方の面を前記インクジェットヘッドと対向させて前記保持部材に保持された前記媒体へインク滴を吐出することにより、前記媒体上において印刷をすべき印刷領域に対し、前記媒体の一方の面へインク滴を吐出して前記図柄を印刷し、
　かつ、前記保持部材に保持された状態のまま表裏を反転させた前記媒体へインク滴を吐出することにより、前記印刷領域に対し、前記媒体の他方の面へインク滴を吐出し、
　前記図柄は複数の模様により構成され、
　前記複数の模様のそれぞれについて、前記インクジェットヘッドで用いる１色のみの前記目的色用インクで描画すると共に、前記インクジェットヘッドとして、複数の前記目的色のそれぞれについて専用のインクジェットヘッドを用い、
　前記一方の面へのインク滴の吐出及び前記他方の面へのインク滴の吐出について、同じ色の前記目的色用インクで、かつ両面の図柄が重なるように印刷することを特徴とする印刷方法。」
第３　申立理由の概要
　申立人は、以下の刊行物を証拠として提出し、大要、次の申立理由を主張している。
　なお、甲第１号証等を、以下「甲１」等という。そして、甲１等に記載された発明あるいは事項を、以下、それぞれ「甲１発明」あるいは「甲１事項」という。
１．理由１
　本件発明１、２及び８は、甲１−１発明である多色ヘッドインクジェットプリンターあるいは甲１−２発明である多色ヘッドインクジェットプリンターによる印刷方法であるから、特許法第２９条第１項第３号に該当し、特許を受けることができず、その発明に係る特許は、特許法第１１３条第２号の規定に該当し、取り消されるべきである。
２．理由２
　本件発明１〜１０は、甲１−１発明である多色ヘッドインクジェットプリンターあるいは甲１−２発明である多色ヘッドインクジェットプリンタによる印刷方法に、例えば甲２に記載されたインクジェットプリントの技術分野における両面印刷をおこなうことの周知技術、並びに、例えば甲３及び甲４に記載されたインクの滲みや混色を適切に防止するために、先に噴射したインクを乾燥させてから次のインクを噴射することの周知技術に基いて、当業者が容易に発明をすることができたものであるから、特許法第２９条第２項の規定により特許を受けることができず、その発明に係る特許は、特許法第１１３条第２号の規定に該当し、取り消されるべきである。
　　　　　　　　　　　＜　刊　行　物　一　覧　＞
甲１：北尾好隆、「特集ＩＴ染色革命　特色（事前混色）用シンクジェットシステムの開発」、加工技術、株式会社繊維社、２０００年１１月１０日、Ｖｏｌ．３５、Ｎｏ．１１、７〜２０ページ
甲２：特開平１１−３１５４８４号公報
甲３：特開平６−２６２７７４号公報
甲４：特開平８−５８３１号公報
第４　刊行物の記載
（１）甲１
ア．甲１の記載
　甲１には、次の記載及び図示がある。なお、行数には、空白行は含まない。原文において、○囲み数字にて記載されているものについては、「○１」等と代用表記した。
（ア）「・・・現状のインクジェットプリント最大の問題点は単色染料インキ液滴の疎密集合で色を表現していることである。そのため，ベージュ等の淡色においてザラツキ性を生じ，その解決法として，吐出液滴をより小さくしている（高ｄｐｉ化）のが一般的であり，その結果，染料インキの精製などにコストがかかっているのが現状である．
　一方，インクジェットプリント品を見本品（マス見本，着分見本）として考えているユーザーは，現在，捺染で使用している安価な染料を用い，現状の捺染品と同等以上の品位の優れた製品を生産する方法を要望している．したがって，われわれは現状のインクジェットの短所の解決と，ユーザーの要望を実現する方法として，
　○１市販染料の利用
　○２事前混色（特色）による色表現法の利用
の開発を目標に，反応染料インキについて以下の手順で行った．
・実験−Ｉ：市販インクジェット用染料インキ（反応染料）の分析
・実験−ＩＩ：市販反応染料の分析
・実験−ＩＩＩ：染料インキの調製法
・実験−ＩＶ：使用可能染料の選択
・実験−Ｖ：綿布の前処理方法
・実験−ＶＩ：事前混色（特色）による色表現法」（７ページ左欄１０行〜右欄１２ページ）
（イ）「７．実験−ＶＩ：事前混色（特色）による色表現法
　今回，開発しようとしている特色（事前混色）インクジェットは，第１表に示した現状のインクジェットプリントの短所を解決する方法である．この考えの利点は，現状の有版捺染のカラーデータとインクジェットプリントのカラーデータとに関連があり，かつ製品品位が優れていることである．それゆえ，その関連性を明確にするため，第１図に示す□（当審注：原文では点線による四角囲みで表記）内の相関を明らかにした．」（１８ページ左欄１１行〜右欄５行）
（ウ）「７−１　実験方法
　第１図に示す□（当審注：原文では点線による四角囲みで表記）内の関連性を明確にするため，有版捺染単色カラーデータを用いて特色（事前混色）インクジェットプリントで表現できる色を求めることができるかを第４図に示す手法でＣＣＭ計算の精度から検討した．
　そして，使用染料およびインキ処方は第９表に示したとおりである．
　インクジェットで表現した色は，第５図に示す色三角で３種の染料の配合比率が偏りのないように選んだ１９色であり，それらの配合比率を第１４表に示した．」（１８ページ右欄６〜末行）
（エ）「７−２　結果および考察
　第４図に示したように，基礎データとして有版捺染単色カラーデータを用い，インクジェットで表現した色を有版捺染で表現するための色糊染料濃度をＣＣＭ計算から求めた．そして，その染料濃度で色糊を調整し，印捺・発色させた．
　そして，インクジェットで表現した色とＣＣＭ計算から求め，有版捺染で表現した色の色差（ｄＥ＊）および視感判定結果を第１５表に示す．
　この表からわかるように，色差数値はやや大きいが，視感反転ではほとんど問題がない結果である．」（１９ページ左欄１〜１０行）
（オ）「第２表
」
（カ）「第１図　　
」
（キ）「第４図及び第５図
」
（ケ）「第１４表
」
（コ）「第９図
」
イ．甲１発明
　以上のア．（ア）〜（エ）に記載された事項、及び、ア．（オ）〜（コ）に図示された事項を総合すると、甲１には、以下のインクジェットプリンターに係る発明である甲１−１発明及び印刷方法の発明である甲１−２発明が記載されている。
（ア）甲１−１発明
「予め設定された特色で表現される図柄をインクジェット方式で綿布へ印刷する多色ヘッドインクジェットプリンターであって、
　前記綿布上で前記特色となる色に調整されたインクである特色用インクのインク滴を吐出するインクジェットヘッドを備た、
　インクジェットプリンター。」
（イ）甲１−２発明
「予め設定された特色で表現される図柄をインクジェット方式で綿布へ印刷する多色ヘッドインクジェット方式で綿布へ印刷する印刷方法であって、
　前記綿布上で前記特色となる色に調整されたインクである特色用インクのインク滴を吐出する多色ヘッドを用い、
　前記多色ヘッドにより、一方の面を前記多色ヘッドと対向させて前記綿布へインク滴を吐出することにより、前記綿布上において印刷をすべき印刷領域に対し、前記綿布の一方の面へインク滴を吐出して前記図柄を印刷する、
　印刷方法。」
（２）甲２
　甲２には、【請求項１】、【０００１】、【００７８】、【００８１】及び【００８２】の記載、並びに、【図１２】及び【図１３】の図示があり、布帛においてインクジェット方式で画像を形成するものにおいて、当該布帛に形成する表面画像と裏面画像とを一致させて形成する装置あるいは方法が記載されている。そして、当該装置あるいは方法において、表面をプリントする際と、裏面をプリントする際との両方において、共通するプラテンを用いて摩擦力により被記録媒体を保持し、プリントすることが記載されている。
（３）甲３
　甲３には、【請求項２】、【請求項６】、【請求項７】、【００５６】の記載があり、色調を異にするインクを用いて混色プリントを行うべくプリントヘッドを複数具備するインクジェットプリントの物の製造装置において、第１及び第２のプリントヘッド間の搬送経路において乾燥をおこなうことにより、プリントされたドットの滲みをより低減することが記載されている。
（４）甲４
　甲４には、【請求項７】、【請求項９】、【００１６】、【００１９】の記載があり、インクジェットプリンタヘッドの三種のノズルから着色液を噴射する際に、１種の着色液の基板への噴射及び乾燥を行ってから、別の着色液の噴射及び乾燥を行うことにより、着色層間の混色が起こりにくくなることが開示されている。
第５　当審の判断
１．理由１について
（１）本件発明１について
ア．対比
　本件発明１と甲１−１発明とを対比すると、少なくとも次の相違点１で相違する。
＜相違点１＞
　インクジェットヘッドについて、本件発明１は、複数の目的色のそれぞれについて専用のインクジェットヘッドが設けられ、印刷される図柄である複数の模様のそれぞれについて、前記インクジェットヘッドで用いる１色のみの前記目的色用インクで描画するとともに、前記インクジェットヘッドとして、複数の前記目的色のそれぞれについて専用のインクジェットヘッドが設けられたものであるのに対し、
　甲１−１発明は、複数の特色のそれぞれについて専用のインクジェットヘッドが設けられたものであるか明らかではなく、印刷される図柄が複数の模様であるか否かも明らかではなく、インクジェットヘッドとして、複数の特色のそれぞれについて専用のインクジェットヘッドが設けられたものであるか否かも明らかではない点。
イ．判断
　上記相違点１は、インクジェットヘッドにより印刷しようとする図柄の色や個数、そして、それぞれの図柄に対応したインクを吐出するインクヘッドについての相違であるから、実質的な相違点である。
　したがって、本件発明１は、甲１−１発明であるとはいえない。
（２）本件発明２について
　本件発明２は、本件発明１を引用するものであるところ、本件発明１は、上記（１）に示したように、甲１−１発明ではないから、本件発明２も甲１−１発明であるとはいえない。
（３）本件発明８について
ア．対比
　本件発明８と甲１−２発明とを対比すると、少なくとも以下の相違点２で相違する。
＜相違点２＞
　本件発明８の印刷方法により、インクジェット方式で布地の媒体へ印刷される図柄は、予め設定された目的色で表現され、複数の模様により構成され、前記複数の模様のそれぞれについて、前記インクジェットヘッドで用いる１色のみの前記目的色用インクで描画すると共に、前記インクジェットヘッドとして、複数の前記目的色のそれぞれについて専用のインクジェットヘッドを用いるものであるのに対し、
　甲１−２発明の印刷方法により、インクジェット方式で綿布へ印刷される図柄は、予め設定された特色で表現されるが、そもそも構成される模様が複数であるか否かが不明であり、さらに、複数の模様のそれぞれについて、インクジェットヘッドで用いる１色のみの特色インクで描画するか否か、インクジェットヘッドとして、複数の特色のそれぞれについて専用のインクジェットヘッドを用いるか否かが不明である点。
イ．判断
　上記相違点２は、媒体に印刷しようとする図柄の色や個数、そして、それぞれの図柄に対応したインクを吐出するインクヘッドを用いることについての相違であるから、実質的な相違点である。
　したがって、本件発明８は、甲１−２発明であるとはいえない。
（４）小括
　上記（１）〜（３）で検討したとおり、本件発明１及び２は、甲１−１発明ではなく、本件発明８は、甲１−２発明ではないから、本件発明１、２及び８は、いずれも、特許法第２９条第１項第３号に該当せず、本件発明１、２及び８に係る特許は、特許法第１１３条第２号に該当することを理由に取り消すことはできない。
２．理由２について
（１）本件発明１について
ア．対比
　本件発明１と甲１−１発明とを対比すると、上記１．（１）ア．に示した上記相違点１で相違する。
イ．判断
　インクジェット方式の印刷装置において、上記相違点１に係る構成を備えることは、甲１には記載されていないし、示唆する記載もない。また、甲２〜４においても記載されていないし、示唆する記載もない。
　したがって、甲１−１発明について、上記相違点１に係る本件発明１の構成を備えたものとすることは、当業者が容易になし得たものであるとはいえない。
　そして、本件発明１は、上記相違点１に係る構成を備えることで、複数の模様のそれぞれについて、専用のインクジェットヘッドからそれぞれ吐出する複数色のインクにより、目的色を直接かつ適切に表現できる。そのため、媒体へ着弾後のインクについて、色間滲みが生じること等を適切に防ぐことができる。また、その結果、例えば必要に応じて、媒体へ吐出するインクの量を増やすことも可能となる。そのため、媒体の各位置に対し、十分な量のインクを付着させることができる。また、これにより、布地の媒体に対し、インクジェット方式での捺染を適切に行うことができる。また、このように構成した場合、所望の目的色に対応する目的色用インクをはじめから用いているため、インクジェットヘッドの吐出量にばらつきや誤差が生じても、色のブレが生じることはない。また、媒体の各位置に十分な量のインクを付着させることができるため、糸の裏返りが生じても色変化が少なくなる。また、これにより、例えば、捺線が完了した後の媒体について、洗濯堅牢性を適切に高めることもできる。（本件特許明細書【００４６】及び【００４７】）。以上の格別な作用効果を奏する。
　したがって、甲１−１発明について、相違点１における本件発明１に係る構成を備えたものとすることは、当業者が容易になし得たものであるとはいえない。
　申立人は、本件特許異議申立書（以下「申立書」という。）３ページの（構成要件１Ｃ）の欄において、甲１の１８ページの、インクジェットにより１９色の色を表現したことの記載から、甲１に記載された「１９色の表現された色」は本件発明１の「複数の模様により構成された図柄」に相当する旨、主張している。
　そして、申立書３〜４ページの（構成要件１Ｄ）の欄において、甲１の第１図の、スキャニングにより原図を取り込み、特色分版を行い、インキ混合処方を計算し、インキを精密計算混合し、多色ヘッドインクジェットプリンターにて混合色均一集合の製品を作成する旨の、特色（事前混色）インクジェットプリント方法についての記載から、甲１に記載された「１９色の色を、インキを精密計算した後に多色ヘッドインクジェットプリンタで印刷すること」は、本件発明１の「複数の模様のそれぞれについて、インクジェットヘッドで用いる一色のみの目的色用インクで描画すること」に相当する旨主張している。
　しかし、甲１の９ページに多色ヘッドインクジェットプリンターとの記載があったとしても、甲１の１２ページ表６には、「印字ヘッド４色」と記載されており、汎用のインクジェットプリンターを用いたと読みとれるから、４つの印字ヘッドに別の混合色インクをセットして使用しているとまでは読み取れない。複数の混合色インクを順次用いる場合があると仮定しても、汎用プリンターの場合、タンクと印字ヘッドが同時交換されるから、専用のインクジェットヘッドが設けられるとは限らない。
　また、上記「１９色」の色は、「第５図に示す色三角で３種の染料の配合比率が偏りのないように選んだ１９色」（甲１、１８ページ右欄１４〜１６行）であり、当該１９色の第５図の色三角における配置をみると、ほぼ全体に均一に分布している。そして、甲１の１４ページに「基礎データとして有版捺染単色カラーデータを用い」と記載されるように、単色のインクジェットと対比するためのものである。当該１９色による印刷をもって、「複数の模様のそれぞれについて、インクジェットヘッドで用いる一色のみの目的色用インクで描画する」に相当するということはできない。
　よって、申立人の上記主張は当を得たものではなく、採用することはできない。
　以上のとおり、本件発明１は、甲１−１発明及び甲２〜４事項に基いて、当業者が容易に発明をすることができたものであるとはいえない。
（２）本件発明２〜７について
　本件発明２〜７は、いずれも本件発明１を直接あるいは間接に引用する発明である。よって、本件発明１は、上記（１）に示したとおり、甲１−１発明及び甲２〜４事項に基いて当業者が容易に発明をすることができたものであるとはいえないから、本件発明２〜７のいずれも、甲１−１発明及び甲２〜４事項に基いて当業者が容易に発明をすることができたものであるとはいえない。
（３）本件発明８について
ア．対比
　本件発明８と甲１−２発明とを対比すると、上記１．（３）ア．に示した上記相違点２で相違する。
　そして、インクジェット方式の印刷方法において、上記相違点２係る構成を備えることは、甲１には記載されていないし、示唆する記載もない。また、甲２〜４においても、記載されていないし、示唆する記載もない。
　したがって、甲１−２発明について、上記相違点２に係る本件発明８の構成を備えたものとすることは、当業者が容易になし得たものであるとはいえない。
　そして、本件発明８は、上記相違点２に係る構成を備えることで上記（１）イ．に示した格別な作用効果を奏する。
　よって、本件発明８は、甲１−２発明及び甲２〜４事項に基いて、当業者が容易に発明をすることができたものであるとはいえない。
（４）本件発明９について
ア．対比
　本件発明９と甲１−１発明とを対比すると、少なくとも次の相違点３で相違する。
＜相違点３＞
　インクジェットヘッドについて、本件発明９は、複数の目的色のそれぞれについて専用のインクジェットヘッドが設けられ、印刷される図柄である複数の模様のそれぞれについて、前記インクジェットヘッドで用いる１色のみの前記目的色用インクで描画するとともに、前記インクジェットヘッドとして、複数の前記目的色のそれぞれについて専用のインクジェットヘッドが設けられたものであるのに対し、
　甲１−１発明は、複数の特色のそれぞれについて専用のインクジェットヘッドが設けられたものであるか明らかではなく、印刷される図柄が複数の模様であるか否かも明らかではなく、インクジェットヘッドとして、複数の特色のそれぞれについて専用のインクジェットヘッドが設けられたものであるか否かも明らかではない点。
イ．判断
　インクジェット方式の印刷装置において、上記相違点３に係る構成を備えることは、甲１には記載されていないし、示唆する記載もない。また、甲２〜４においても記載されていないし、示唆する記載もない。
　したがって、甲１−１発明について、相違点３に係る本件発明１の構成を備えたものとすることは、当業者が容易になし得たものであるとはいえない。
　そして、本件発明９は、上記相違点３に係る構成を備えることで、複数の模様のそれぞれについて、一のインクジェットヘッドから吐出するインクにより、目的色を直接かつ適切に表現できる。そのため、媒体へ着弾後のインクについて、色間滲みが生じること等を適切に防ぐことができる。また、その結果、例えば必要に応じて、媒体へ吐出するインクの量を増やすことも可能となる。そのため、媒体の各位置に対し、十分な量のインクを付着させることができる。また、このように構成した場合、所望の目的色に対応する目的色用インクをはじめから用いているため、インクジェットヘッドの吐出量にばらつきや誤差が生じても、色のブレが生じることはない。（本件特許明細書【００４６】及び【００４７】）。以上の格別な作用効果を奏する。
　よって、本件発明９は、甲１−１発明及び甲２〜４事項に基いて、当業者が容易に発明をすることができたものであるとはいえない。
（５）本件発明１０について
ア．対比
　本件発明１０と甲１−２発明とを対比すると、少なくとも次の相違点４で相違する。
＜相違点４＞
　本件発明１０の印刷方法により、インクジェット方式で媒体へ印刷される図柄は、予め設定された目的色で表現され、複数の模様により構成され、前記複数の模様のそれぞれについて、前記インクジェットヘッドで用いる１色のみの前記目的色用インクで描画すると共に、前記インクジェットヘッドとして、複数の前記目的色のそれぞれについて専用のインクジェットヘッドを用いるものであるのに対し、
　甲１−２発明の印刷方法により、インクジェット方式で綿布へ印刷される図柄は、予め設定された特色で表現されるが、そもそも構成される模様が複数であるか否かが不明であり、さらに、複数の模様のそれぞれについて、インクジェットヘッドで用いる１色のみの特色インクで描画するか否か、インクジェットヘッドとして、複数の特色のそれぞれについて専用のインクジェットヘッドを用いるか否かが不明である点。
イ．判断
　インクジェット方式の印刷装置において、上記相違点４に係る構成を備えることは、甲１には記載されていないし、示唆する記載もない。また、甲２〜４においても記載されていないし、示唆する記載もない。
　したがって、甲１−２発明について、相違点４における本件発明１０に係る構成を備えたものとすることは、当業者が容易になし得たことであるとはいえない。
　そして、本件発明１０は、上記相違点４に係る構成を備えることで、上記２．（４）イ．に示した格別な作用効果を奏する。
　よって、本件発明１０は、甲１−２発明及び甲２〜４事項に基いて、当業者が容易に発明をすることができたものであるとはいえない。
（６）小括
　上記（１）〜（５）で検討したように、本件発明１〜７及び９は、甲１−１発明並びに甲２〜４事項に基いて当業者が容易に発明をすることができたものではない。また、本件発明８及び１０は、甲１−２発明並びに甲２〜４事項に基いて当業者が容易に発明をすることができたものではない。よって、本件発明１〜１０は、特許法第２９条第２項の規定により特許を受けることができないとはいえず、それらの特許は、特許法第１１３条第２号に該当することを理由として取り消すことはできない。
第６　むすび
　以上のとおりであるから、上記申立理由によっては、本件発明１〜１０に係る特許を取り消すことはできない。
　また、他に本件発明１〜１０に係る特許を取り消すべき理由を発見しない。
　よって、結論のとおり決定する。
【異議決定日】
平成３０年５月１８日（２０１８．５．１８）